(57)【特許請求の範囲】
【請求項１】
スピーカを支持するための底板と、左右方向に沿って延在する少なくとも二つの横仕切板と、互いに間隔を空けるように前後方向に沿って延在する二つの縦仕切板から構成される二つの縦仕切板ユニットと、を含み、
前記横仕切板の底端部及び前記縦仕切板の底端部は、それぞれ前記底板に接続される、スピーカ包装装置であって、
隣接する前記横仕切板は、前後方向に沿って間隔を空けて設けられ、
各前記縦仕切板ユニットにおける対として設けられた前記縦仕切板が、隣接する二つの前記横仕切板の間に接続されることにより、前記スピーカを収容するための空間が囲まれ、
二つの前記縦仕切板ユニットは、左右方向に沿って配列され、
一方の前記縦仕切板ユニットの前記縦仕切板は、前記スピーカの外縁の突出部が係合するように前後方向における前側に形成される第１切欠きと、前記第１切欠きよりも後側に形成される第１非切欠き領域と、を含み、
一方の前記縦仕切板ユニットと隣接する他方の前記縦仕切板ユニットの前記縦仕切板は、前記突出部が係合するように前後方向における後側に形成される第２切欠きと、前記第２切欠きよりも前側に形成される第２非切欠き領域と、を含み、
隣接する二つの前記縦仕切板ユニット間に形成される間隔には、隣接する二つの前記縦仕切板ユニットのそれぞれに収容される前記スピーカの前記突出部が左右方向において部分的に重なり合うように位置し、
前記第１非切欠き領域は、一部が前記第２非切欠き領域の一部と前後方向において重なり合うように形成される、
ことを特徴とするスピーカ包装装置。
【請求項２】
前記第１切欠き及び前記第２切欠きの幅は、前記縦仕切板の長さの半分以下である、
ことを特徴とする請求項１に記載のスピーカ包装装置。
【請求項３】
前記スピーカ包装装置は、複数列の前記縦仕切板ユニットを含み、
各列の前記縦仕切板ユニットは、前後方向に沿って順次配列された複数の縦仕切板対を有し、
各列の前記縦仕切板ユニットの複数の前記縦仕切板対における左側の各前記縦仕切板は、一体形成され、
各列の前記縦仕切板ユニットの複数の前記縦仕切板対における右側の各前記縦仕切板は、一体形成される、
ことを特徴とする、請求項１に記載のスピーカ包装装置。
【請求項４】
前記横仕切板の底部には、前記横仕切板と前記縦仕切板とが接続されるように前記縦仕切板に係合する下向きの係合溝が設けられる、
ことを特徴とする請求項１に記載のスピーカ包装装置。
【請求項５】
前記係合溝は、前記第１切欠き及び前記第２切欠きの下方に位置する前記縦仕切板の部分に対応して係合する、
ことを特徴とする請求項４に記載のスピーカ包装装置。
【請求項６】
前記横仕切板及び／又は前記縦仕切板は、段ボールから構成され、
前記底板は、段ボール箱の箱底又は段ボールケースのケース底から構成され、
前記横仕切板及び縦仕切板は、段ボール箱又は段ボールケース内に設けられる、
ことを特徴とする請求項１に記載のスピーカ包装装置。
【請求項７】
スピーカ包装体であって、
前記スピーカと、請求項１、４から６のいずれか１項に記載のスピーカ包装装置と、を含み、
前記スピーカは、前記縦仕切板と前記横仕切板との間に囲まれる空間内に配置される、
ことを特徴とするスピーカ包装体。
【請求項８】
スピーカ包装体であって、
前記スピーカと、請求項１から３のいずれか１項に記載のスピーカ包装装置と、を含み、
前記スピーカは、前記縦仕切板と前記横仕切板との間に囲まれる空間内に配置され、
一列の縦仕切板ユニットの縦仕切板の間に位置する前記スピーカは、正面が前方の前記横仕切板に対向し、背面が後方の前記横仕切板に対向し、
当該列の縦仕切板ユニットに隣接する縦仕切板ユニットの縦仕切板の間に位置する前記スピーカは、正面が後方の前記横仕切板に対向し、背面が前方の前記横仕切板に対向し、
隣接する二列の前記スピーカの外縁の前記突出部は、前後に互いに交差するように隣接する二列の前記縦仕切板ユニットの間に収容される、
ことを特徴とするスピーカ包装体。
【発明の詳細な説明】
【技術分野】
【０００１】
本発明は、スピーカ分野に関し、特にスピーカ包装装置及びスピーカ包装体に関するものである。
【背景技術】
【０００２】
スピーカを包装するための紙コーンは、比較的脆弱であるため、着脱、運搬及び長距離輸送において、紙コーンがぶつかったり、落下したりする現象が多発することにより、スピーカが損傷したり、故障したりすることがある。スピーカ等の製品を保護するために、通常、弾性を有する緩衝材料を内装パッドとして選択して使用することが挙げられる。しかしながら、このような設計を採用すると、着脱等の実際操作が煩雑になり、かつ、多くの包装廃棄物が発生するので、エコに優れない。また、普通の紙ブロック仕切りは、製品を仕切る機能のみを有し、外形が不規則であるスピーカに適さない。
【発明の概要】
【０００３】
本発明は、上述のような問題に鑑みてなされたものであり、構造が簡易であり、スピーカに対し良好な保護効果を有するスピーカ包装装置及びスピーカ包装体を提供することを目的とする。
【０００４】
本発明に係るある態様によれば、スピーカを支持するための底板と、左右方向に沿って延在する少なくとも二つの横仕切板と、互いに間隔を空けるように前後方向に沿って延在する二つの縦仕切板から構成される少なくとも一つの縦仕切板ユニットと、を含み、前記横仕切板の底端部及び前記縦仕切板の底端部は、それぞれ前記底板に接続される、スピーカ包装装置であって、隣接する前記横仕切板は、前後方向に沿って間隔を空けて設けられ、各前記縦仕切板ユニットにおける対として設けられた前記縦仕切板が、隣接する二つの前記横仕切板の間に接続されることにより、前記スピーカを収容するための空間が囲まれ、前記縦仕切板には、前記スピーカの外縁の突出部が係合する切欠きが設けられ、一つの前記縦仕切板ユニットにおける二つの前記縦仕切板の前記切欠きは、互いに整列して設けられるスピーカ包装装置が提供される。
【０００５】
この態様において、前記スピーカ包装装置は、複数列の前記縦仕切板ユニットを含み、各列の前記縦仕切板ユニットは、前後方向に沿って順次配列された複数の縦仕切板対を有し、一列の縦仕切板ユニットの縦仕切板の切欠きは、縦仕切板の前部に設けられ、当該列の縦仕切板ユニットに隣接する縦仕切板ユニットの縦仕切板の切欠きは、縦仕切板の後部に設けられ、隣接する二つの前記縦仕切板ユニットは、所定の間隔を空けて設けられる。
【０００６】
好適態様において、隣接する二つの前記縦仕切板ユニットの前記切欠きが、前後に交差して設けられることにより、隣接する二つの前記スピーカの外縁の前記突出部が、前後に交差して隣接する二つの前記縦仕切板ユニットの間に収容される。
【０００７】
この態様において、前記切欠きの幅は、前記縦仕切板の長さの半分以下である。
【０００８】
この態様において、各列の前記縦仕切板ユニットの複数の前記縦仕切板対における左側の各前記縦仕切板は、一体形成され、各列の前記縦仕切板ユニットの複数の前記縦仕切板対における右側の各前記縦仕切板は、一体形成される。
【０００９】
この態様において、前記横仕切板の底部には、前記横仕切板と前記縦仕切板とが接続されるように前記縦仕切板に係合する下向きの係合溝が設けられる。
【００１０】
この態様において、前記係合溝は、前記切欠きの下方に位置する前記縦仕切板の部分に対応して係合する。
【００１１】
この態様において、前記横仕切板及び／又は前記縦仕切板は、段ボールから構成され、前記底板は、段ボール箱の箱底又は段ボールケースのケース底から構成され、前記横仕切板及び縦仕切板は、段ボール箱又は段ボールケース内に設けられる。
【００１２】
本発明に係る他の態様によれば、スピーカ包装体であって、前記スピーカと、上記のスピーカ包装装置と、を含み、前記スピーカは、前記縦仕切板と前記横仕切板との間に囲まれる空間内に配置され、前記スピーカの外縁の前記突出部が前記縦仕切板の前記切欠きに係合するスピーカ包装体が提供される。
【００１３】
本発明に係るその他の態様によれば、スピーカ包装体であって、前記スピーカと、上記のスピーカ包装装置と、を含み、前記スピーカは、前記縦仕切板と前記横仕切板との間に囲まれる空間内に配置され、前記スピーカの外縁の前記突出部が前記縦仕切板の切欠きに係合し、一列の縦仕切板ユニットの縦仕切板の間に位置する前記スピーカは、正面が前方の前記横仕切板に対向し、背面が後方の前記横仕切板に対向し、当該列の縦仕切板ユニットに隣接する縦仕切板ユニットの縦仕切板の間に位置する前記スピーカは、正面が後方の前記横仕切板に対向し、背面が前方の前記横仕切板に対向し、隣接する二列の前記スピーカの外縁の前記突出部は、前後に互いに交差するように隣接する二列の前記縦仕切板ユニットの間に収容されるスピーカ包装体が提供される。
【発明の効果】
【００１４】
本発明は、上記の態様を採用することにより、従来技術と比較して以下の利点を有する。スピーカの両側面に対応する縦仕切板対にそれぞれ切欠きを設けるので、スピーカが隣接する二つの横仕切板及び縦仕切板対で囲まれた空間に配置されると、スピーカの側面の突出部としてのフレーム外縁が、互いに整列した二つの切欠きに係合することにより、外力による衝撃が防がれるようにスピーカが固定される。弾性を有する緩衝材料を使用せず、包装装置の構造が簡易になる。隣接する二列のスピーカの外縁が、前後に互いに交差するように隣接する二列の縦仕切板ユニットの間に収容されるため、包装の空間利用率が向上する。
【図面の簡単な説明】
【００１５】
本発明の態様をより明確に説明するために、以下では、実施例の説明に必要な図面を簡単に紹介する。明らかに、以下の説明における図面は、本発明の実施例に過ぎない。当業者にとって、創造的な労働なしに、これらの図面に基づいて他の図面を得ることができる。
【００１６】
【図１】本発明に係る包装体及びその包装装置の斜視概略図である。
【図２】本発明に係る包装体及びその包装装置の平面図である。
【図３】本発明に係る包装体及びその包装装置の正面図である。
【発明を実施するための形態】
【００１７】
以下、本発明の利点及び特徴が当業者により理解されやすいように、図面を参照しながら本発明の好適実施例を詳細に説明する。なお、これらの実施形態の説明は、本発明の理解を助けるために用いられるものであり、本発明を限定するものではない。また、以下説明した本発明の各実施形態に係る技術的特徴は、互いに矛盾を構成しない限り、互いに組み合わせることができる。
【００１８】
本発明に記載される方向の用語は、包装装置の通常観察の視野によって定義される。例えば、「前」、「後」、「左」、「右」は、それぞれ図２における紙面の上側、下側、左側、右側に対応する。
【００１９】
本実施例によれば、スピーカを収容し、輸送中にスピーカを保護するためのスピーカ包装装置が提供される。図１に示すように、当該スピーカ用の包装装置は、スピーカを支持するための底板１と、左右方向に沿って延在する少なくとも二つの横仕切板２と、少なくとも一つの縦仕切板ユニットと、を含む。底板１は、段ボール箱の箱底又は段ボールケースのケース底であることが好ましい。横仕切板２は、複数によって構成され、前後に等間隔に設けられる。縦仕切板は、複数により構成され、横仕切板２と交差するように設けられることにより、紙ブロック仕切りが形成される。図２に示すように、紙ブロック仕切りは、段ボール外箱に係合する。段ボール外箱は、紙ブロック仕切りの底端に接続される底板１と、紙ブロック仕切りの周囲に位置する四つの側板５と、を含む。紙ブロック仕切りの全体の長さ及び幅は、外箱のサイズに等しいか、又は僅かに小さい。
【００２０】
図１から図３を参照して、前記縦仕切板ユニットは、互いに間隔を空けるように前後方向に沿って延在する二つの縦仕切板から構成される。すなわち、縦仕切板は、対として設けられる。前記横仕切板２の底端部及び前記縦仕切板の底端部は、前記底板１に接続される。隣接する前記横仕切板２は、前後方向に沿って間隔を空けて設けられる。各前記縦仕切板ユニットにおける対として設けられた前記縦仕切板が、隣接する二つの前記横仕切板２の間に接続されることにより、前記スピーカを収容するための空間が囲まれる。図２に示すように、前記空間は、１０個であり、１０個のスピーカ４を収容することができる。各前記縦仕切板には、前記スピーカの外縁の突出部４０が係合する切欠き３００が設けられる。一つの前記縦仕切板ユニットにおける二つの前記縦仕切板の前記切欠き３００は、互いに整列して設けられる。スピーカの外縁の突出部４０とは、スピーカ紙コーンを固定するためのフレーム外縁を指し、フレーム外縁の両側を一つの縦仕切板対の切欠き３００に対応して係合することにより、紙コーンの固定及び保護が図られる。
【００２１】
前記スピーカ包装装置は、複数列の前記縦仕切板ユニットを含む。各列の前記縦仕切板ユニットは、前後方向に沿って順次配列された複数の縦仕切板対を有する。一列の前記縦仕切板ユニットの前記縦仕切板の前記切欠き３００は、前記縦仕切板の前部に設けられるとともに、当該列の前記縦仕切板ユニットに隣接する前記縦仕切板ユニットの前記縦仕切板の前記切欠き３００は、前記縦仕切板の後部に設けられる。隣接する二つの前記縦仕切板ユニットは、所定の間隔を空けて設けられる。具体的に、図１から図３に示すように、当該包装装置は、具体的には、五つの縦仕切板ユニットが含まれる第１列縦仕切板ユニット３１と、五つの縦仕切板ユニットが含まれる第２列縦仕切板ユニット３２と、を含む。各縦仕切板ユニットは、左側縦仕切板３ａ及び右側縦仕切板３ｂを含む。左側縦仕切板３ａ及び右側縦仕切板３ｂのいずれにも、切欠き３００が設けられる。第１列縦仕切板ユニット３１における切欠き３００が各縦仕切板の前部に設けられるのに対し、第２列縦仕切板ユニット３２における切欠き３００が各縦仕切板の後部に設けられる点で相違する。切欠き３００の幅を前記縦仕切板の長さの半分以下とすることで、第１列縦仕切板ユニット３１の左側縦仕切板３ａにおける切欠き３００と第２列縦仕切板ユニット３２の右側縦仕切板３ｂにおける切欠き３００とを前後にずらすことができる。これにより、スピーカが配置されると、隣接する二つのスピーカの外縁の突出部４０は、前後に交差するように隣接する二つの前記縦仕切板ユニットの間に収容される。
【００２２】
なお、各列の前記縦仕切板ユニットの複数の前記縦仕切板対における各左側縦仕切板３ａは、一体形成され、各列の前記縦仕切板ユニットの複数の前記縦仕切板対における各右側縦仕切板３ｂは、一体形成される。例えば、複数の切欠き３００が前後方向に沿って等間隔に形成されるように段ボールをカットすると、一列の縦仕切板ユニットの同じ側の複数の縦仕切板が形成される。そして、カットされた他の前記段ボールを１８０度水平反転させると、隣接する一列の縦仕切板ユニットの同じ側の複数の縦仕切板が形成される。このように、すべての縦仕切板をいずれも同じ金型で製造ことができるので、金型の費用を節約することができる。
【００２３】
複数の横仕切板２と複数の縦仕切板との交互交差によって、格子状構造の前記紙ブロック仕切りが形成される。そして、両者は、交差する箇所で係合する。例えば、前記横仕切板２の底部には、前記横仕切板２と前記縦仕切板とが接続されるように前記縦仕切板に係合する下向きの係合溝が設けられる。前記係合溝は、前記切欠き３００の下方に位置する前記縦仕切板の部分に対応して係合する。すなわち、係合溝は、横仕切板２の強度を確保するために、横仕切板２の底部にのみ設けられる。また、横仕切板２及び縦仕切板を、紙ブロック仕切りが収納されやすいように、互いにくっ付けて折り畳むことができる。包装時には、紙ブロック仕切りの前記縦仕切板及び横仕切板２を広げて外箱に配置すれば、スピーカを収容することができる。紙ブロック仕切りのサイズは、外箱のサイズに合わせる（等しいか、僅かに小さい）ことが好ましい。
【００２４】
図２及び図３に示すように、本実施例によれば、上記のスピーカ包装装置と、前記縦仕切板と前記横仕切板２との間に囲まれる空間内に配置されるスピーカと、を含むスピーカ包装体が提供される。前記スピーカのフレーム外縁が一つの縦仕切板対の切欠き３００に係合する。一列の縦仕切板ユニットの縦仕切板の間に位置するスピーカは、正面が前方の横仕切板２に対向し、背面が後方の横仕切板２に対向する。当該列の縦仕切板ユニットに隣接する縦仕切板ユニットの縦仕切板の間に位置するスピーカは、正面が後方の横仕切板２に対向し、背面が前方の横仕切板２に対向する。具体的には、図２及び図３に対応して、左側のスピーカを右側のスピーカに対して１８０度水平反転させて配置する。このとき、左側のスピーカの右突出部４０と右側のスピーカの左突出部４０とが前後に交差するように中央の二つの縦仕切板の間に収容されるので、空間利用率が向上する。
【００２５】
なお、本実施例により提供されるスピーカ包装装置及び包装体は、他の緩衝材料を含まない。これは、紙ブロック仕切りに対応するスピーカの着力ポイントに基づいて段ボールをカットすると、段ボールが製品を固定し、外力による衝撃を防ぐ機能を果たすことができる。そして、紙ブロック仕切り自体の設計構造により輸送において部品の脆弱な部分を保護する機能を果たし、内外力による衝撃を防ぐことができるためである。
【００２６】
本発明では、包装の空間利用率の問題を検討した。具体的には、空間を位置ずれによって作り出す手法で段ボールをカットし、カットされた段ボールを交差するように位置ずれによって組み立て、同一空間における製品の利用率が向上する。部品を製品と紙ブロック仕切りとの間の着力ポイントによって固定し、保護材料を別途追加することなく、製品を保護し固定する機能を達成することができる。また、コストも削減することができる。
【００２７】
上記の実施例は、本発明の技術的概念及び特徴を単に説明するための好適実施例である。その目的は、当業者が本発明の内容を理解して実施することができることにある。実施例は、本発明の保護範囲を限定するものではない。
【００２８】
本出願は、２０１７年１１月３日に提出された、出願番号がＣＮ２０１７２１４５００２７．６である中国特許出願の優先権を主張するものであり、先願の内容をすべて組み込んでいる。
【符号の説明】
【００２９】
１：底板、２：横仕切板、３１：第１列縦仕切板ユニット、３２：第２列縦仕切板ユニット、３ａ：左側縦仕切板、３ｂ：右側縦仕切板、３００：切欠き、４：スピーカ、４０：突出部、５：側板
【図１】
0006898473.tif 000002
【図２】
0006898473.tif 000003
【図３】
0006898473.tif 000004